(57)【要約】【課題】  テレビカメラの撮影レンズに対するメンテナンス性を向上させる。【解決手段】  カメラ本体２２と撮影レンズ２４とからなるテレビカメラ２０と、前記テレビカメラ２０の前方に配置され、原稿画像を表示するプロンプター装置３０と、前記撮影レンズ２４の側面を覆うように箱型に形成され、前記プロンプター装置３０を前記テレビカメラ２０の前方に配置した状態で、その少なくとも一部が着脱自在に構成された撮影レンズカバー５０と、を備えたプロンプターシステム１０を提供することにより、前記課題を解決する。【選択図】  図１
2006165761.tif 000002
【特許請求の範囲】
【請求項１】
カメラ本体と撮影レンズとからなるテレビカメラと、
前記テレビカメラの前方に配置され、原稿画像を表示するプロンプター装置と、
前記撮影レンズの側面を覆うように箱型に形成され、前記プロンプター装置を前記テレビカメラの前方に配置した状態でその少なくとも一部が着脱自在に構成された撮影レンズカバーと、を備えたことを特徴とするプロンプターシステム。
【請求項２】
前記撮影レンズカバーは、前記撮影レンズを支持する支持手段を備えたことを特徴とする請求項１に記載のプロンプターシステム。
【請求項３】
前記撮影レンズカバーは、前記撮影レンズカバーの浮き上がりを防止する付勢手段を備えたことを特徴とする請求項１又は請求項２に記載のプロンプターシステム。
【発明の詳細な説明】
【技術分野】
【０００１】
本発明は、テレビ放送局で使用されるプロンプターシステムに関する。
【背景技術】
【０００２】
テレビ放送局等では、放送用原稿をモニタ画面に表示し、キャスタが恰も原稿を暗記して読み上げているかのように視線をテレビカメラに向けながらそのモニタ画面の原稿を読めるようにしたプロンプターシステムが使用されている。
【０００３】
プロンプターシステムは、例えば、テレビカメラの撮影レンズ前方下側にモニタが上方に向けて配置され、モニタの表示面に対して、略４５度傾斜したハーフミラーを備えたプロンプター本体がテレビカメラの撮影レンズ前方に配置される。かかる構成によって、モニタに原稿画像を表示すると、テレビカメラでの撮影を妨害することなくハーフミラーでその原稿画像が前方の被撮影者に反射される（例えば、特許文献１参照）。
【０００４】
ところでプロンプターシステムにおいて使用されるテレビカメラには、スタジオ・中継製作用の大型カメラに報道用のポータブルレンズ（ＥＮＧレンズ）がマウントされ、さらに撮影レンズカバーが装着される場合がある。通常、スタジオ・中継製作用の大型カメラに装着されるレンズとしては箱型のＥＦＰレンズが使用されているため、ＥＮＧレンズのような筒型のレンズだと外観上違和感がある場合がある。よって、このような撮影レンズカバーは、箱型のＥＦＰレンズと同様の外観構成となっており、第３者にあたかもＥＦＰレンズを使用しているかの如く印象を与える効果がある。
【特許文献１】特開平０１−１４７９７０号公報
【発明の開示】
【発明が解決しようとする課題】
【０００５】
しかしながら、従来のプロンプターシステムにおいて、テレビカメラに装着される箱型の撮影レンズカバーはレンズの上下左右側面を覆うように構成されており、テレビカメラの撮影レンズ前方にプロンプター本体を配置した状態で、撮影レンズカバーを取り外すことは不可能であった。
【０００６】
そのため、撮影レンズに対するメンテナンスを行う場合には、プロンプター本体をテレビカメラの撮影レンズ前方から取り外してから、撮影レンズカバーを前方に引き抜くようにして取り外さなければならなかった。このようにプロンプター本体を取り外す手間がかかり、撮影レンズに対するメンテナンス性が悪いという欠点があった。
【０００７】
本発明はこのような事情に鑑みてなされたもので、テレビカメラの撮影レンズに対するメンテナンス性を向上させたプロンプターシステムを提供することを目的としている。
【課題を解決するための手段】
【０００８】
前記目的を達成するために、請求項１に記載の発明は、カメラ本体と撮影レンズとからなるテレビカメラと、前記テレビカメラの前方に配置され、原稿画像を表示するプロンプター装置と、前記撮影レンズの側面を覆うように箱型に形成され、前記プロンプター装置を前記テレビカメラの前方に配置した状態でその少なくとも一部が着脱自在に構成された撮影レンズカバーと、を備えたことを特徴とするプロンプターシステムを提供する。
【０００９】
本発明によれば、テレビカメラの前方にプロンプター装置を配置した状態で、箱型の撮影レンズカバーの少なくとも一部を取り外すことができ、撮影レンズに対するメンテナンスを行うことが可能となる。これにより、プロンプター装置を取り外す手間がなくなり、撮影レンズに対するメンテナンス性が向上する。
【００１０】
請求項２に記載の発明は、請求項１に記載のプロンプターシステムであって、前記撮影レンズカバーは、前記撮影レンズを支持する支持手段を備えたことを特徴とする。
【００１１】
請求項２の態様によれば、撮影レンズカバーに備えられた支持手段によって撮影レンズは支持されるので、カメラ本体にマウントされた撮影レンズはより安定した状態で支持される。これにより、テレビカメラによる撮影を良好に行うことが可能になる。
【００１２】
請求項３に記載の発明は、請求項１又は請求項２に記載のプロンプターシステムであって、前記撮影レンズカバーは、前記撮影レンズカバーの浮き上がりを防止する付勢手段を備えたことを特徴とする。
【００１３】
請求項３の態様によれば、付勢手段を撮影レンズカバーに設けたことにより、撮影レンズカバーの浮き上がりが防止される。
【発明の効果】
【００１４】
本発明によれば、テレビカメラの前方にプロンプター装置を配置した状態で、箱型の撮影レンズカバーの少なくとも一部を取り外すことができ、撮影レンズに対するメンテナンスを行うことが可能となる。これにより、プロンプター装置を取り外す手間がなくなり、撮影レンズに対するメンテナンス性が向上する。
【発明を実施するための最良の形態】
【００１５】
以下、添付図面に従って本発明に係るプロンプターシステムの好ましい実施の形態を詳説する。
【００１６】
図１は、本発明の実施形態に係るプロンプターシステム１０の側面図である。同図に示すように、プロンプターシステム１０は、雲台１２に載置されたテレビカメラ２０と、テレビカメラ２０の前方に配置されるプロンプター装置３０とから主に構成される。
【００１７】
テレビカメラ２０は、カメラ本体２２及び撮影レンズ（ＥＮＧレンズ）２４から構成される。カメラ本体２２は、パン機能及びチルト機能を備えた雲台１２の取付台１４に、アタッチメント１６を介して、据え付けられている。撮影レンズ２４は、カメラ本体２２の前面にマウントされている。
【００１８】
カメラ本体２２の前面には、本発明の特徴である撮影レンズカバー５０が装着されている。撮影レンズカバー５０は、上カバー５０Ａ及び下カバー５０Ｂとから構成される。上カバー５０Ａは着脱自在に構成され、図１中上方に取り外すことが可能となっている。撮影レンズカバー５０の構成については後で詳説する。
【００１９】
プロンプター装置３０は、撮影レンズ２４の前方下側に表示画面を上に向けて配置されたモニタ３２と、モニタ３２の上方に略４５度の角度に傾斜して配置されたハーフミラー３４を有するプロンプター本体３６とから構成される。
【００２０】
モニタ３２は、雲台１２の取付台１４に対して水平方向にスライド可能に構成されており、モニタレバー３３の回動によりモニタ３２を所定の位置で固定することができる。すなわち、モニタ３２は、雲台１２の取付台１４に固定されている。
【００２１】
一方、プロンプター本体３６は、撮影レンズカバー５０に固定されている。プロンプター本体３６には、図２に示すプロンプター本体３６の側面図の如く、背面側（図２中右側）には嵌合棒３８が複数形成されている。嵌合棒３８は軸方向に貫通穴が形成されたパイプ状であり、プロンプター本体３６の不図示のケーブル等を通すことが可能な構造となっている。
【００２２】
図３及び図４は、撮影レンズカバー５０の上カバー５０Ａを取り外した状態を表す構成図である。図３は撮影レンズカバー５０の側面図であり、図４は撮影レンズカバー５０の正面図である。
【００２３】
撮影レンズカバー５０には、図３に示すように、前面側マウント部５２と背面側マウント部５４を接続するように構成された梁状部材５６が形成されている。また撮影レンズカバー５０には、前面側マウント部５２から梁状部材５６の中を通って背面側マウント部５４に貫通する嵌合穴５８が形成されている。嵌合穴５８には、プロンプター本体３６の嵌合棒３８（図２参照）が嵌合される。前面側マウント部５２には、固定ねじ６０が設けられている。プロンプター本体３６の嵌合棒３８を嵌合穴５８に嵌合し、固定ねじ６０を締め付けることによって、図１の如く、プロンプター本体３６が撮影レンズカバー５０の前面に固定される。なお撮影レンズカバー５０の下カバー５０Ｂは、ねじ９０（９０Ａ、９０Ｂ）により、前面側マウント部５２及び背面側マウント部５４に固定されている。
【００２４】
撮影レンズカバー５０の背面側マウント部５４の上部には、係合部材７８が形成されている。係合部材７８は、図３の如く下向き４５度の傾斜面を有する楔状に構成されている。一方、カメラ本体２２のマウント部にも上向き４５度の傾斜面を有する楔状の係合部材（不図示）が形成されている。カメラ本体２２側の係合部材は、一般的に箱型のＥＦＰレンズを装着するために設けられているものである。撮影レンズカバー５０の係合部材７８とカメラ本体２２の係合部材を係合させることによって、撮影レンズカバー５０をカメラ本体２２（図１参照）に装着することができる。
【００２５】
また撮影レンズカバー５０の背面側マウント部５４の下部には、フランジ部８０が形成されている。フランジ部８０は、図１の如く固定金具８２によりカメラ本体２２側に押し付けられ、撮影レンズカバー５０の背面側マウント部５４の下部がカメラ本体２２に固定される。
【００２６】
また撮影レンズカバー５０には、図３及び図４に示すように、カメラ本体２２にマウントされた撮影レンズ２４を支持するための支持機構６２が設けられている。図５は、図３に示す支持機構６２を上側から見た平面図である。
【００２７】
図３乃至図５に示すように、支持機構６２は、先端にねじ溝が形成されたポール６４、ポール６４を保持する保持部材７３（図５参照）、操作レバー６６、６８、ガイド部材７０、ガイド部材７０に沿ってスライド可能に構成され、保持部材７３を内部に配置する被ガイド部材７２、とから主に構成される。
【００２８】
被ガイド部材７２は、操作レバー６６を緩める方向に回動すると、撮影レンズカバー５０の背面側マウント部５４に固定されるガイド部材７０に沿って、Ｘ１方向及びＸ２方向（以下、Ｘ１−Ｘ２方向という）に移動可能となる。一方、操作レバー６６を締める方向に回動すると、被ガイド部材７２はＸ１−Ｘ２方向に対して固定状態となる。ポール６４を保持する保持部材７３は、被ガイド部材７２と一体的に移動させられるので、操作レバー６６に対する操作により、ポール６４をＸ１−Ｘ２方向の所定の位置で固定することができる。
【００２９】
また操作レバー６８を緩める方向に回動すると、ポール６４は保持部材７３に対してＹ１方向及びＹ２方向（以下、Ｙ１−Ｙ２方向という）、Ｚ１方向及びＺ２方向（以下、Ｚ１−Ｚ２方向という）に移動可能となる。一方、操作レバー６８を締める方向に回動すると、ポール６４はＹ１−Ｙ２方向及びＺ１−Ｚ２方向に対して固定状態となる。このような操作により、ポール６４をＹ１−Ｙ２方向、Ｚ１−Ｚ２方向の所定の位置で固定することができる。
【００３０】
このように操作レバー６６、６８の操作により、ポール６４の先端が撮影レンズカバー５０に形成される不図示のねじ穴に螺合可能なように位置決めすることができる。そしてポール６４の先端を撮影レンズ２４のねじ穴２６に螺合する。このようにしてカメラ本体２２にマウントされた撮影レンズ２４を支持機構６２によって支持することができ、カメラ本体２２だけで撮影レンズ２４を支持する場合に比べて、より安定した状態で撮影レンズ２４を支持することができる。これにより、テレビカメラ２０による撮影を良好に行うことが可能になる。
【００３１】
図６乃至図８は、上カバー５０Ａを取り付けた状態における撮影レンズカバー５０の構成図である。図６は撮影レンズカバー５０の平面図であり、図７は撮影レンズカバー５０の側面図であり、図８は撮影レンズカバー５０の下面図である。なお図６乃至図８では、上カバー５０Ａ及び下カバー５０Ｂの構成に対する理解を容易にするため、図３に示した前面側マウント部５２や背面側マウント部５４等は省略している。
【００３２】
撮影レンズカバー５０の上カバー５０Ａの上面には、図６及び図７に示すように、固定金具８２、８２が設けられている。固定金具８２は、つまみ８４と、つまみ８４の操作と連動する係合部８６とから主に構成される。つまみ８４が倒された状態にあるときは、係合部８６は前面側マウント部５２、背面側マウント部５４に形成される不図示の係合部と係合し、つまみ８４が立ち上げられた状態にあるときは、係合部８６は前面側マウント部５２、背面側マウント部５４の係合部との係合が解除されるように構成される。
【００３３】
従って、つまみ８４を立ち上げると、上カバー５０Ａは着脱可能状態となる一方、つまみ８４を倒すと、上カバー５０Ａは着脱不可能状態となり、上カバー５０Ａの脱落やずれが防止される。
【００３４】
また撮影レンズカバー５０の下カバー５０Ｂには、図８に示すように、開口部８８が形成されている。開口部８８は、撮影レンズ２４に接続されるケーブル類等を通すために設けられている。また開口部８８には、図３に示した支持機構６２が配置される。
【００３５】
さらに撮影レンズカバー５０の側面には、図７に示すように、上カバー５０Ａの浮き上がりを防止するための付勢手段として板ばね７４、７４が設けられている。
【００３６】
図９は、図７中９−９線に沿う断面図であり、図１０はその一部の拡大断面図である。図９及び図１０に示すように、断面コ字状に形成された上カバー５０Ａ及び下カバー５０Ｂは、上カバー５０Ａと下カバー５０Ｂの両側面端部において重なるように構成されている。すなわち、下カバー５０Ｂの両側面端部は内側に折り曲げられ、上カバー５０Ａの両側面端部が下カバー５０Ｂの両側面端部の上に重なるようになっている。なお上カバー５０Ａの端部を内側に折り曲げ、上カバー５０Ａの両側面端部の上に下カバー５０Ｂの両側面端部を重ねるように構成してもよい。なお下カバー５０Ｂの底面には、前面側マウント部５２又は背面側マウント部５４（図３参照）に下カバー５０Ｂを固定するためのねじ９２が設けられている。
【００３７】
板ばね７４は、板ばね７４の一端は上カバー５０Ａの下カバー５０Ｂとの重なり部上方内側でリベット７６により固定されている。また板ばね７４は、クランク状に折り曲げられており、板ばね７４と上カバー５０Ａの端部との間に下カバー５０Ｂの端部が配置されるように構成されている。
【００３８】
上カバー５０Ａに固定された板ばね７４の折れ曲がり部７４ａは下カバー５０Ｂの端部内側に当接しており、上カバー５０Ａの端部が下カバー５０Ｂの端部から離れようとすると、上カバー５０Ａには板ばね７４を介して上カバー５０Ａ内側方向（図１０中左方向）の付勢力が作用する。従って、撮影レンズカバー５０の上カバー５０Ａの浮き上がりが防止される。
【００３９】
なお上カバー５０Ａの浮き上がりを防止する付勢手段の一例として、板ばね７４を上カバー５０Ａの内側に設ける構成を示したが、本発明の実施に際しては本構成に特に限定されるものでない。
【００４０】
かかる構成において、撮影レンズカバー５０は、テレビカメラ２０の撮影レンズ２４前方にプロンプター本体３６を配置した状態で、プロンプター本体３６を取り外すことなく、着脱自在に構成された上カバー５０Ａを上方にスライドさせて取り外すことができ、撮影レンズ２４のメンテナンスを行うことができる。従って、プロンプター本体３６を取り外す手間を省くことができ、撮影レンズ２４に対するメンテナンス性が向上する。
【００４１】
特に本実施形態では、撮影レンズカバー５０の上カバー５０Ａを下カバー５０Ｂに比べて大きく構成することが好ましい。上カバー５０Ａを取り外した際の撮影レンズ２４に対するメンテナンス性がさらに向上する。
【００４２】
また本実施形態における撮影レンズカバー５０には、上カバー５０Ａに固定金具８２が設けられているので、着脱自在に構成された上カバー５０Ａの脱落やずれを防止することが可能である。
【００４３】
また本実施形態における撮影レンズカバー５０は、上カバー５０Ａの下カバー５０Ｂとの重なり部内側上方に板ばね７４を設けたことにより、上カバー５０Ａの浮き上がりを防止することができる。なお本実施形態では、上カバー５０Ａの浮き上がりを防止する付勢手段の一例として板ばね７４を例示したが、本発明の実施に際してはこれに限定されるものでない。
【００４４】
また本実施形態における撮影レンズカバー５０は、カメラ本体２２にマウントされた撮影レンズ２４に対する支持機構６２を備えているので、撮影レンズ２４をより安定した状態で支持することができる。これにより、テレビカメラ２０による撮影を良好に行うことが可能になる。
【００４５】
なお本実施形態では、プロンプター本体３６が撮影レンズカバー５０に支持される形態を例示したが、本発明の実施に際してはプロンプター装置３０の構成例は本実施形態に限定されるものでない。例えば、モニタ３２とプロンプター本体３６を一体的に構成し、これらを雲台１２の取付台１４に固定する形態でもよい。
【００４６】
また本実施形態では、上カバー５０Ａが着脱自在に構成された撮影レンズカバー５０を例示したが、本発明の実施に際しては本実施形態に限定されるものでない。例えば、撮影レンズカバー５０を右側面カバーと左側面カバーに分割し、それらの少なくとも一方を着脱自在に構成してもよい。また撮影レンズカバー５０を３つ以上に分割可能なように構成してもよい。
【００４７】
また本実施形態では、ＥＮＧレンズに対する撮影レンズカバー５０を例示したが、箱型のＥＦＰレンズのカバーに対しても同様にして適用することできるのはもちろんのことである。
【００４８】
以上、本発明のプロンプターシステムについて詳細に説明したが、本発明は、以上の例には限定されず、本発明の要旨を逸脱しない範囲において、各種の改良や変形を行ってよいのはもちろんである。
【図面の簡単な説明】
【００４９】
【図１】本発明の実施形態に係るプロンプターシステムの側面図。
【図２】プロンプター本体の側面図。
【図３】上カバーを取り外した状態における撮影レンズカバーの側面図。
【図４】上カバーを取り外した状態における撮影レンズカバーの正面図。
【図５】図３に示した支持機構を上側から見た平面図。
【図６】上カバーを取り付けた状態における撮影レンズカバーの平面図。
【図７】上カバーを取り付けた状態における撮影レンズカバーの側面図。
【図８】上カバーを取り付けた状態における撮影レンズカバーの下面図
【図９】図７中９−９線に沿う断面図。
【図１０】図９の一部拡大断面図。
【符号の説明】
【００５０】
１０…プロンプターシステム、１２…雲台、２０…テレビカメラ、２２…カメラ本体、２４…撮影レンズ、３０…プロンプター装置、３２…モニタ、３４…ハーフミラー、３６…プロンプター本体、５０…撮影レンズカバー、５０Ａ…上カバー、５０Ｂ…下カバー、６２…支持機構、７４…板ばね、８２…固定金具
【図１】
2006165761.tif 000003
【図２】
2006165761.tif 000004
【図３】
2006165761.tif 000005
【図４】
2006165761.tif 000006
【図５】
2006165761.tif 000007
【図６】
2006165761.tif 000008
【図７】
2006165761.tif 000009
【図８】
2006165761.tif 000010
【図９】
2006165761.tif 000011
【図１０】
2006165761.tif 000012